【手続補正書】
【提出日】平成24年4月9日(2012.4.9)
【手続補正１】
【補正対象書類名】明細書
【補正対象項目名】００６０
【補正方法】変更
【補正の内容】
【００６０】
Ｒｅｔｒｏ−Ｍｅｔｅｒ ２機器を使用して、４．０°の入射角、０．２°の観測角でサンプルの再帰反射性を試験した。測定した再帰反射係数は、微細複製プリズムが入射角を含む面と直交して整合された際に、最大に到達した。この観察された最大値は、３５０ｃｄ／ｌｘ／ｍ２であった。
本出願では、以下の態様が提供される。
１．  モノマー組成物の開環メタセシス重合により形成される架橋不飽和ポリマーを含む成型微細構造物品であって、前記モノマー組成物が少なくとも１つの反応性二重結合を有する環式モノマーを含有する、成型微細構造物品。
２．  前記環式モノマーが、ノルボルニレン、エチリデンノルボルネン、シクロペンテン、シクロオクテン、ジシクロペンタジエン、トリシクロペンタジエン、テトラシクロペンタジエン、ノルボルナジエン、７−オキソビシクロ［２．２．１］ヘプタ−２−エン、テトラシクロ［６，２，１３，６，０２，７］ドデカ−４，９−ジエン、及びそれらの誘導体からなる群より選択される、態様１に記載の成型微細構造物品。
３．  前記環式モノマーが少なくとも２種の異なるモノマーを含み、前記少なくとも２種の異なるモノマーのそれぞれが、ノルボルニレン、エチリデンノルボルネン、シクロペンテン、シクロオクテン、ジシクロペンタジエン、トリシクロペンタジエン、テトラシクロペンタジエン、ノルボルナジエン、７−オキソビシクロ［２．２．１］ヘプタ−２−エン、テトラシクロ［６，２，１３，６，０２，７］ドデカ−４，９−ジエン、及びそれらの誘導体からなる群より選択される、態様１に記載の成型微細構造物品。
４．  前記環式モノマーが本質的にジシクロペンタジエンからなる、態様１に記載の成型微細構造物品。
５．  前記環式モノマーが、ジシクロペンタジエン及びノルボルニレンを含む、態様１に記載の成型微細構造物品。
６．  前記環式モノマーが、ジシクロペンタジエン及びアルキルノルボルニレンを含む、態様１に記載の成型微細構造物品。
７．  前記環式モノマーが、ジシクロペンタジエン及びエチリデンノルボルネンを含む、態様１に記載の成型微細構造物品。
８．  前記環式モノマーが、約３０：７０〜約７０：３０の重量比のジシクロペンタジエンとシクロオクテンとを含む、態様１に記載の成型微細構造物品。
９．  前記環式モノマーが、約１０：９０〜約５０：５０の重量比のジシクロペンタジエンとヘキシルノルボルネンとを含む、態様１に記載の成型微細構造物品。
１０．  前記環式モノマーが、架橋剤及び一官能性モノマーを含む、態様１に記載の成型微細構造物品。
１１．  前記架橋剤が、ジシクロペンタジエンを含む、態様１０に記載の成型微細構造物品。
１２．  前記一官能性モノマーが、シクロオクテン、シクロペンタジエン、アルキルノルボルネン、及びそれらの誘導体からなる群より選択される、態様１０に記載の成型微細構造物品。
１３．  前記モノマー組成物が、モノマー組成物の総重量に対して約０．１〜約７５重量％の架橋剤を含有する、態様１０に記載の成型微細構造物品。
１４．  約２ｍｍ未満の寸法を有する少なくとも１つの微細構造フィーチャを含む、態様１に記載の成型微細構造物品。
１５．  約５００μｍ未満の寸法を有する少なくとも１つの微細構造フィーチャを含む、態様１に記載の成型微細構造物品。
１６．  複数の微細構造フィーチャを含み、各フィーチャが約２ｍｍ未満の寸法を有する、態様１に記載の成型微細構造物品。
１７．  複数の微細構造フィーチャを含み、各フィーチャが約５００μｍ未満の寸法を有する、態様１に記載の成型微細構造物品。
１８．  微細構造フィーチャのアレイを含む、態様１に記載の成型微細構造物品。
１９．  光ガイド、輝度上昇フィルム、再帰反射フィルム、又はマイクロ流体デバイスを含む、態様１に記載の成型微細構造物品。
２０．  複数の研磨複合体を含み、前記研磨複合体のそれぞれが、バインダー中に分散された複数の砥粒を含む、態様１に記載の成型微細構造物品。
２１．  複数のステムを含み、各ステムが、乾燥しているとき、少なくとも約０．６の静摩擦係数を提供する、態様１に記載の成型微細構造物品。
２２．  成型微細構造物品の製造方法であって、微細構造鋳型を提供することと、少なくとも１つの反応性二重結合を有する環式モノマーと、メタセシス触媒系と、を含有するモノマー組成物を提供することと、前記微細構造鋳型の表面を前記モノマー組成物と接触させることと、前記モノマー組成物を重合して架橋不飽和ポリマーを含む成型微細構造物品を形成することと、を含む、方法。
２３．  前記成型微細構造物品を前記微細構造鋳型から分離することを更に含む、態様２２に記載の方法。
２４．  前記メタセシス触媒系が、遷移金属触媒及び有機アルミニウム活性剤を含む、態様２２に記載の方法。
２５．  前記メタセシス触媒系が、式
【化１】
2011524935.tif 000001
（式中、Ｍは、Ｏｓ及びＲｕからなる群より選択され、Ｒ及びＲ１は、水素及び置換基からなる群より独立して選択され、前記置換基はＣ１〜Ｃ２０アルキル、Ｃ２〜Ｃ２０アルケニル、Ｃ２〜Ｃ２０アルコキシカルボニル、アリール、Ｃ１〜Ｃ２０カルボキシレート、Ｃ１〜Ｃ２０アルコキシ、Ｃ２〜Ｃ２０アルケニルオキシ、Ｃ２−Ｃ２０アルキニルオキシ及びアリールオキシからなる群より選択され、前記置換基は、任意により、Ｃ１〜Ｃ５アルキル、ハロゲン、Ｃ１〜Ｃ５アルコキシ及びフェニルからなる群より選択される部分で置換されてもよく、前記フェニルは、任意により、ハロゲン、Ｃ１〜Ｃ５アルキル、及びＣ１〜Ｃ５アルコキシからなる群より選択される部分で置換されてもよく、Ｘ及びＸ１は、任意のアニオン性リガンドから独立して選択され、Ｌ及びＬ１は、式ＰＲ３Ｒ４Ｒ５の任意のホスフィンから独立して選択され、Ｒ３はネオフィル、第２級アルキル及びシクロアルキルからなる群より選択され、Ｒ４及びＲ５はアリール、ネオフィル、Ｃ１〜Ｃ１０第１級アルキル、第２級アルキル及びシクロアルキルからなる群より独立して選択される）の化合物を含む、態様２２に記載の方法。
【手続補正２】
【補正対象書類名】特許請求の範囲
【補正対象項目名】全文
【補正方法】変更
【補正の内容】
【特許請求の範囲】
【請求項１】
モノマー組成物の開環メタセシス重合により形成される架橋不飽和ポリマーを含む成型微細構造物品であって、前記モノマー組成物が、少なくとも１つの反応性二重結合を有し、且つノルボルニレン、エチリデンノルボルネン、シクロペンテン、シクロオクテン、ジシクロペンタジエン、トリシクロペンタジエン、テトラシクロペンタジエン、ノルボルナジエン、７−オキソビシクロ［２．２．１］ヘプタ−２−エン、テトラシクロ［６，２，１３，６，０２，７］ドデカ−４，９−ジエン、及びそれらの誘導体からなる群より選択される、環式モノマーを含有する、成型微細構造物品。
【請求項２】
前記環式モノマーが本質的にジシクロペンタジエンからなる、請求項１に記載の成型微細構造物品。
【請求項３】
前記環式モノマーが、約１０：９０〜約５０：５０の重量比のジシクロペンタジエンとヘキシルノルボルネンとを含む、請求項１に記載の成型微細構造物品。
【請求項４】
光ガイド、輝度上昇フィルム、再帰反射フィルム、又はマイクロ流体デバイスを含む、請求項１に記載の成型微細構造物品。
【請求項５】
複数の研磨複合体を含み、前記研磨複合体のそれぞれが、バインダー中に分散された複数の砥粒を含む、請求項１に記載の成型微細構造物品。
【請求項６】
複数のステムを含み、前記ステムのそれぞれが、乾燥しているとき、少なくとも約０．６の静摩擦係数を提供する、請求項１に記載の成型微細構造物品。